【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
ポリマー主鎖を有するポリマー材料を含み、前記ポリマー材料が波長変換部を含む波長変換素子であって、前記波長変換部が第１の波長の光を第２の波長の光に変換し、前記波長変換部が前記ポリマー主鎖に共有結合により結合され、ポリマー主鎖を有する前記ポリマー材料は前記波長変換部を含むポリエステルランダムコポリマーを含み、前記ポリエステルランダムコポリマーは、次の一般式ｎ１、ｎ２、ｎ３、ｎ４：
【化１】
2014531738.tif 000001
で表される、少なくとも３種の異なる繰り返し単位を含み、
前記繰り返し単位は、前記ポリマー主鎖の長さ方向に沿ってランダムに分布され、
ＡＡは、次の第１の芳香族部分の群：
【化２】
2014531738.tif 000002
から選択され、
ＢＢは、−（ＣＨ２）２−、−（ＣＨ２）４−又は
【化３】
2014531738.tif 000003
から選択され、
ＣＣ及びＤＤは、次の一般式Ｉ、ＩＩ又はＩＩＩ：
【化４】
2014531738.tif 000004
（ここで、
Ｇ１は、直鎖若しくは分岐アルキル基、含酸素アルキル基ＣｎＨ２ｎ＋１Ｏｍ（ｎは１〜４４の整数であり、ｍ＜ｎ／２である）、Ｙ、又は結合基であり、
Ａ及びＣは、それぞれ独立して、水素、イソプロピル基、ｔ−ブチル基、フッ素、メトキシ基、又は非置換飽和アルキル基ＣｎＨ２ｎ＋１（ｎは１〜１６の整数である）であり、
Ｂ、Ｊ及びＱは、それぞれ独立して、水素、イソプロピル基、ｔ−ブチル基、フッ素、メトキシ基、非置換飽和アルキル基ＣｎＨ２ｎ＋１（ｎは１〜１６の整数である）、又は結合基であり、
Ｇ２、Ｇ３、Ｇ４及びＧ５は、それぞれ独立して、水素、フッ素、メトキシ基、非置換飽和アルキル基ＣｎＨ２ｎ＋１（ｎは１〜１６の整数である）、Ｘ、ＯＸ（Ｄ、Ｍ、Ｅ、Ｌ、及びＩは水素）又は結合基であり、
Ｇ２及びＧ３は、それぞれ独立して、Ｃ１〜Ｃ１２、好ましくはＣ１〜Ｃ６の直鎖、分岐又は環状アルコキシ基であって、任意選択的に酸素を介して結合されるものであり得、
Ｄ及びＭは、それぞれ独立して、水素、フッ素、メトキシ基、又は非置換飽和アルキル基ＣｎＨ２ｎ＋１（ｎは１〜１６の整数である）であり、
Ｅ、Ｉ及びＬは、それぞれ独立して、水素、フッ素、メトキシ基、非置換飽和アルキル基ＣｎＨ２ｎ＋１（ｎは１〜１６の整数である）、又は結合基であり、そして
Ｔ、Ｔ’、Ｒ、Ｒ’は、それぞれ独立して、水素、イソプロピル基、ｔ−ブチル基、フッ素、アルキルオキシ基、アリールオキシ基、シアノＣＯ２ＲｘＯＣＯＲｘ若しくは非置換飽和アルキル基ＣｎＨ２ｎ＋１（ｎは１〜１６の整数であり、Ｒｘはアリール基又は飽和アルキル基ＣｎＨ２ｎ＋１（ｎは１〜１６の整数である）である）、又は結合基である）
で表されるものの１種を有する前記波長変換部であり、
かつ
各波長変換部は、Ｇ１、Ｇ２、Ｇ３、Ｇ４、Ｇ５、Ｅ、Ｉ、Ｌ、Ｂ、Ｊ、Ｑ、Ｔ、Ｔ’、Ｒ、Ｒ’の任意の２つの位置に２つの結合基を含み、前記結合基は、前記波長変換部を前記コポリマー主鎖のエステル及び／又はアルコール官能基に共有結合させ、
前記ポリエステルランダムコポリマーは、前記繰り返し単位ｎ１、ｎ３及びｎ４の混合物、又は前記繰り返し単位ｎ１、ｎ２及びｎ４の混合物を含み、前記繰り返し単位は、前記ポリマー主鎖の長さ方向に沿ってランダムに分布され、一般式ｎ１及びｎ３で表される繰り返し単位の総数は、一般式ｎ２及びｎ４で表される繰り返し単位の総数より大である波長変換素子。
【請求項２】
前記ポリエステルランダムコポリマーは前記繰り返し単位：ｎ１、ｎ３及びｎ４の混合物を含み、前記繰り返し単位は、前記ポリマー主鎖の長さ方向に沿ってランダムに分布され、かつ前記ポリマー主鎖中の、式ｎ１及びｎ３で表される繰り返し単位の総数は、式ｎ４で表される繰り返し単位の総数より大である請求項１に記載の波長変換素子。
【請求項３】
前記ポリエステルランダムコポリマーは前記繰り返し単位：ｎ１、ｎ２及びｎ４の混合物を含み、前記繰り返し単位は、前記ポリマー主鎖の長さ方向に沿ってランダムに分布され、かつ前記ポリマー主鎖中の、式ｎ１で表される繰り返し単位の総数は、式ｎ２及びｎ４で表される繰り返し単位の総数より大である請求項１に記載の波長変換素子。
【請求項４】
ＡＡは次の芳香族部分：
【化５】
2014531738.tif 000005
である請求項１乃至３の何れか一項に記載の波長変換素子。
【請求項５】
ポリマー主鎖を有するポリマー材料を含み、前記ポリマー材料は波長変換部を含む波長変換素子であって、前記波長変換部が第１の波長の光を第２の波長の光に変換し、前記波長変換部が前記ポリマー主鎖に共有結合により結合され、ポリマー主鎖を有する前記ポリマー材料は前記波長変換部を含むポリオレフィンランダムコポリマーを含み、前記ポリオレフィンランダムコポリマーは、次の一般式ｍ１及びｍ２：
【化６】
2014531738.tif 000006
（ここで、
Ｘ１は、独立して、水素、フッ素、塩素、メチル基、又はエチル基であり、Ｘ２は、独立して、水素、メチル基、水酸基、アセテート、ニトリル、Ｃ６Ｈ５、又はＣＯ２ＣｎＨ２ｎ＋１（ｎは０又は１〜６の整数である）であり、Ｘ３は次の一般式Ｉ及びＩＩ：
【化７】
2014531738.tif 000007
（ここで、
Ｇ１は、直鎖若しくは分岐アルキル基、含酸素アルキル基ＣｎＨ２ｎ＋１Ｏｍ（ｎは１〜４４の整数であり、ｍ＜ｎ／２である）、Ｙ、又は結合基であり、
Ａ及びＣは、それぞれ独立して、水素、イソプロピル基、ｔ−ブチル基、フッ素、メトキシ基、又は非置換飽和アルキル基ＣｎＨ２ｎ＋１（ｎは１〜１６の整数である）であり、
Ｂ、Ｊ及びＱは、それぞれ独立して、水素、イソプロピル基、ｔ−ブチル基、フッ素、メトキシ基、非置換飽和アルキル基ＣｎＨ２ｎ＋１（ｎは１〜１６の整数である）、又は結合基であり、
Ｇ２、Ｇ３、Ｇ４及びＧ５は、それぞれ独立して、水素、フッ素、メトキシ基、非置換飽和アルキル基ＣｎＨ２ｎ＋１（ｎは１〜１６の整数である）、Ｘ、又は結合基であり、
Ｄ及びＭは、それぞれ独立して、水素、フッ素、メトキシ基、又は非置換飽和アルキル基ＣｎＨ２ｎ＋１（ｎは１〜１６の整数である）であり、
Ｅ、Ｉ及びＬは、それぞれ独立して、水素、フッ素、メトキシ基、非置換飽和アルキル基ＣｎＨ２ｎ＋１（ｎは１〜１６の整数である）、又は結合基であり、そして
Ｔ、Ｔ’、Ｒ、Ｒ’は、それぞれ独立して、水素、イソプロピル基、ｔ−ブチル基、フッ素、アルキルオキシ基、アリールオキシ基、シアノＣＯ２ＲｘＯＣＯＲｘ若しくは非置換飽和アルキル基ＣｎＨ２ｎ＋１（ｎは１〜１６の整数であり、Ｒｘはアリール基又は飽和アルキル基ＣｎＨ２ｎ＋１（ｎは１〜１６の整数である）である）、又は結合基である）
で表されるものの１種を有する前記波長変換部である）
で表される、少なくとも２種の異なる繰り返し単位を含み、
前記繰り返し単位は、ランダムコポリマーの長さ全体にわたってランダムに分布され、ポリマー主鎖中の、式ｍ１で表される繰り返し単位の数は、式ｍ２で表されるポリマー主鎖中の繰り返し単位の数より大であり、
かつ
各波長変換部は、Ｇ１、Ｂ、Ｊ又はＱの１つの位置に１つの結合基を含み、前記結合基は、−ＣＨ２−、−Ｏ−又は−ＣＯ２−の少なくとも１つを含み、それにより前記波長変換部を前記ポリオレフィンのポリマー主鎖に共有結合させる波長変換素子。
【請求項６】
前記ポリオレフィンランダムコポリマーは、前記一般式ｍ１及びｍ２で表される、前記少なくとも２種の異なる繰り返し単位を含み、Ｘ１は、独立して、水素、塩素、メチル基であり、Ｘ２は、独立して、Ｃ６Ｈ５、ＣＯ２ＣｎＨ２ｎ＋１（ｎは０又は１〜６の整数である）、又はニトリルであり、Ｘ３は前記波長変換部であり、前記結合基は、前記波長変換部を前記ポリオレフィンの前記ポリマー主鎖に共有結合させる−ＣＯ２−を含む請求項５に記載の波長変換素子。
【請求項７】
前記ポリマー材料は、前記一般式ｎ１、ｎ２、ｎ３及びｎ４、又はｍ１及びｍ２から選択される第１の繰り返し単位を含み、前記一般式ｎ２、ｎ４又はｍ２で表される第１の繰り返し単位が、前記一般式Ｉ又はＩＩで表されるものの１種からなる第１の波長変換部を含み、かつ前記一般式ｎ１、ｎ２、ｎ３及びｎ４、又はｍ１及びｍ２から選択される第２の繰り返し単位を含み、前記一般式ｎ２、ｎ４又はｍ２で表される第２の繰り返し単位が、一般式Ｉ又はＩＩで表されるものの１種からなる第２の波長変換部を含み、前記第１及び第２の波長変換部が異なるポリエステル又はポリオレフィンのランダムコポリマーを含む請求項１又は５に記載の波長変換素子。
【請求項８】
前記ポリエステルランダムコポリマーは、前記一般式ｎ１及びｎ４（ＡＡは
【化８】
2014531738.tif 000008
であり、
前記波長変換部は前記一般式Ｉ（Ｇ１はＹであり、Ｇ２、Ｇ３、Ｇ４、Ｇ５は、フェノールであり、Ａ及びＣはイソプロピルであり、Ｂ及びＱは水素であり、かつＪはプロピレン結合基である）を有する）で表わされる異なる繰り返し単位を含む請求項１に記載の波長変換素子。
【請求項９】
前記ポリオレフィンランダムコポリマーは、前記一般式ｍ１及びｍ２（Ｘ１はメチル基であり、Ｘ２はアセテートであり、そしてＸ３は前記一般式ＩＩ（Ｇ１はＹであり、Ｇ２、Ｇ３、Ｇ４、Ｇ５は水素であり、Ｔはニトリルであり、Ｒは水素であり、かつＡ及びＣはイソプロピルであり、Ｂ及びＱは水素であり、そしてＪは−（ＣＨ２）３ＯＣＯ−結合基である）を有する前記波長変換素子である）で表わされる前記２種の異なる繰り返し単位を含む請求項５に記載の波長変換素子。
【請求項１０】
前記ポリマー材料中の前記波長変換部の含有率は、１０重量％以下、例えば１重量％以下である請求項１乃至９の何れか一項に記載の波長変換素子。
【請求項１１】
前記波長変換部はペリレンから誘導されている請求項１又は５に記載の波長変換素子。
【請求項１２】
第１の波長の光を発する光源と、請求項１乃至１１の何れか一項に記載の波長変換素子を含む発光装置であって、前記波長変換素子は前記第１の波長の光を受けるように配置され、かつ前記第１の波長の光の少なくとも一部を第２の波長の光に変換する発光装置。